(57)【要約】【課題】洪水や津波等による被害を防ぐために応力の集中する箇所に必要な補強を行った経済的な防水パネル及び防水パネル柵を提供する。【解決手段】  洪水や津波の浸入を防ぐ防水パネルにおいて、金属製の中空角パイプ１１と前記中空角パイプ１１の中空部２５の両端部近傍に設けられた補強部材１２とを有するパネルユニット１０が上下に複数連続して連結部材又は溶接により連結されている。また、補強部材１２は、中空角パイプ１１に内接されるとともに、中空部２５に連通する間隙１９を有し、間隙１９は、補強部材１２の１つ以上の角部が切り欠かれることにより形成されている。【選択図】図４
2014009528.tif 000002
【特許請求の範囲】
【請求項１】
洪水や津波の浸入を防ぐ防水パネルであって、
前記防水パネルは、金属製の中空角パイプと、前記中空角パイプの中空部に設けられた補強部材とを有するパネルユニットが上下に複数連続して連結部材又は溶接により連結されており、
前記補強部材は、前記防水パネルにおける支柱への固定部分と対応する中空角パイプの内面に取り付けられていること
を特徴とする防水パネル。
【請求項２】
前記補強部材は、少なくとも前記中空角パイプにおける互いに隣り合う前記中空角パイプが連結される方向と直交する短手方向に内接されていること
を特徴とする請求項１に記載の防水パネル。
【請求項３】
前記補強部材は、前記中空角パイプと同種の金属からなり、前記中空角パイプと互いに溶接により固着されていること
を特徴とする請求項１又は２に記載の防水パネル。
【請求項４】
前記補強部材は、前記中空角パイプの中空部に連通する間隙を有すること
を特徴とする請求項２又は３に記載の防水パネル。
【請求項５】
前記間隙は、前記補強部材の１つ以上の角部が切り欠かれることにより形成されていること
を特徴とする請求項４に記載の防水パネル。
【請求項６】
前記補強部材は、少なくとも前記中空角パイプにおける互いに隣り合う前記中空角パイプが連結される方向と直交する短手方向の２つの内面と固着されていること
を特徴とする請求項２〜５のうち何れか１項に記載の防水パネル。
【請求項７】
上下に互いに隣り合う前記パネルユニットの間に第一止水材が介装されること
を特徴とする請求項１〜６のうち何れか1項に記載の防水パネル。
【請求項８】
前記連結部材は、上下に互いに隣り合う前記中空角パイプの上面及び／又は下面に設けられた挿通孔に挿通されるボルトにより２つ以上連結されていること
を特徴とする請求項１〜７のうち何れか１項に記載の防水パネル。
【請求項９】
所定間隔で立設された支柱間に、請求項１〜８のうち何れか１項に記載の防水パネルが取り付けられていること
を特徴とする防水パネル柵。
【請求項１０】
前記支柱は、溝部が形成されるとともに、当該溝部に前記パネルユニットの端部が挿入され、更に当該溝部と前記パネルユニットとの間に第二止水材が介装されていること
を特徴とする請求項９に記載の防水パネル柵。
【請求項１１】
前記補強部材は、前記第二止水材が前記中空角パイプの外側面と当接している位置に対応して設けられていること
を特徴とする請求項１０に記載の防水パネル柵。
【発明の詳細な説明】
【技術分野】
【０００１】
本発明は、台風による河川の洪水や地震による海岸部での津波や高潮により、沿岸部の建築物や道路に対して与える被害を防ぐ、防水パネル及び防水パネル柵に関する。
【背景技術】
【０００２】
台風による洪水や地震による津波に対する災害対策としては、人家のある地域への水の浸入を防ぐため、河岸や海岸に沿って土砂を盛り上げた堤防や防水パネル柵が構築されている。防水パネル柵の場合は、広い面積を有する防水パネルを備えていると水圧や波圧を大きく受けるので十分な断面剛性を備える必要がある。特にパネル部分は、大きく撓むと破壊に繋がるので、剛性が高く撓みの少ない構造が求められている。
【０００３】
こうした洪水や津波に対する防水パネル柵の耐久性を向上させるための技術として、従来より各種の提案がなされている。例えば、特許文献１の開示技術では、中空構造の樹脂製板状体の内部に形成された中空部に金属製のチャンネルを内装して、この樹脂製板状体を複数連結することでパネルとして構成している。パネルの素材に樹脂を用いることでパネルを軽量化でき、洪水等の恐れがある緊急時に防水パネル柵を迅速に構築することができる。ここで、防水パネル柵において、仮に一般的な平板の樹脂製のパネルを用いた場合には、洪水等の水圧による外力でパネルの撓みが非常に大きくなる。一方、特許文献１の開示技術では、全体は樹脂製として軽量化を図りつつも、その内部の金属製チャンネルにより補強して剛性を向上させ、パネルの撓みを抑えている点で優れているといえる。
【先行技術文献】
【特許文献】
【０００４】
【特許文献１】実用新案登録第３１６６８２２号公報
【発明の概要】
【発明が解決しようとする課題】
【０００５】
しかし、水圧や波圧をパネル全体で受けると、特にパネルと支柱との固定部分に応力が集中する。即ち、パネルの撓みを抑える以上に、パネルと支柱との固定部分には更に強固な補強が必要となる場合がある。そのような場合で、仮に特許文献１の開示技術のように樹脂製パネルの中空部を金属製チャンネルで一律に補強すると、最も高い剛性が必要となるパネルと支柱との固定部分の剛性に合わせた補強となる。つまり、パネルと支柱との固定部分に掛かる剪断力が大きい場合に特許文献１のような補強を行うと、パネルは、パネル中央付近においては補強過剰となる。また、軽量化のために中空の樹脂材を用いていても、結局一律の金属製チャンネルの補強により全体重量は増加することになる。その結果、全体として複雑な構造で材料も多く必要となり不経済となる。
【０００６】
従って、防水パネル柵として用いる防水パネルについては、パネル中央付近は、撓みを抑える程度の剛性を有しつつ、パネルと支柱との固定部分はより高い剛性を有し、しかも、経済的な構造が求められていた。
【０００７】
そこで本発明は、上述した問題点に鑑みて案出されたものであり、その目的とするところは、補強過剰にならずに、応力の集中する箇所に必要な補強を行った経済的な防水パネル及び防水パネル柵を提供することにある。
【課題を解決するための手段】
【０００８】
前記課題を解決するために、本発明に係る防水パネル及び防水パネル柵は、次のように構成する。
【０００９】
本願第１の発明は、洪水や津波の浸入を防ぐ防水パネルであって、前記防水パネルは、金属製の中空角パイプと、前記中空角パイプの中空部に設けられた補強部材とを有するパネルユニットが上下に複数連続して連結部材又は溶接により連結されており、前記補強部材は、前記防水パネルにおける支柱への固定部分と対応する中空角パイプの内面に取り付けられていることを特徴とする。
【００１０】
本願第２の発明は、第１の発明において、前記補強部材は、少なくとも前記中空角パイプにおける互いに隣り合う前記中空角パイプが連結される方向と直交する短手方向に内接されていることを特徴とする。
【００１１】
本願第３の発明は、第１又は２の発明において、前記補強部材は、前記中空角パイプと同種の金属からなり、前記中空角パイプと互いに溶接により固着されていることを特徴とする。
【００１２】
本願第４の発明は、第２又は３の発明において、  前記補強部材は、前記中空角パイプの中空部に連通する間隙を有することを特徴とする。
【００１３】
本願第５の発明は、第４の発明において、  前記間隙は、前記補強部材の１つ以上の角部が切り欠かれることにより形成されていることを特徴とする。
【００１４】
本願第６の発明は、第２〜５のうち何れか1の発明において、前記補強部材は、少なくとも前記中空角パイプにおける互いに隣り合う前記中空角パイプが連結される方向と直交する短手方向の２つの内面と固着されていることを特徴とする。
【００１５】
本願第７の発明に係る防水パネル柵は、第１〜６のうち何れか1の発明において、上下に互いに隣り合う前記パネルユニットの間に第一止水材が介装されることを特徴とする。
【００１６】
本願第８の発明に係る防水パネル柵は、第１〜７のうち何れか1の発明において、前記連結部材は、上下に互いに隣り合う前記中空角パイプの上面及び／又は下面に設けられた挿通孔に挿通されるボルトにより２つ以上連結されていることを特徴とする。
【００１７】
本願第９の発明に係る防水パネル柵は、所定間隔で立設された支柱間に、請求項１〜８のうち何れか１の発明に記載の防水パネルが取り付けられていることを特徴とする。
【００１８】
本願第１０の発明に係る防水パネル柵は、第９の発明において、前記支柱は、溝部が形成されるとともに、当該溝部に前記パネルユニットの端部が挿入され、更に当該溝部と前記パネルユニットとの間に第二止水材が介装されていることを特徴とする。
【００１９】
本願第１１の発明に係る防水パネル柵は、第１０の発明において、前記補強部材は、前記第二止水材が前記中空角パイプの外側面と当接している位置に対応して設けられていることを特徴とする。
【発明の効果】
【００２０】
前記第１の発明によると、金属製の前記中空角パイプとその中空部に前記補強部材とを有した前記パネルユニットを上下に複数連結して構築している。このため、中空状であることから、中実状に構成する場合と比較して材料コストの低減を図っている。また、これに加えて、前記中空角パイプが金属製であることや中空角パイプの内部に前記補強部材を設けていることから、水圧や波圧等による外力に対する高い耐久性を維持することが可能となる。特に前記補強部材は、前記中空角パイプの中空部における支柱への固定部分に応じた箇所に設けられていることより、水圧や波圧等により当該箇所に応力が局所的に集中しても、前記補強部材は、前記パネルユニットの当該箇所の破損を防ぐことができる。
【００２１】
前記第２の発明によると、前記補強部材が前記中空角パイプが連結される方向と直交する短手方向に内接されていることより、水圧や波圧等の力は、前記パネルユニットの一方の側面から向かい合う他方の側面へと効果的に伝達させることができる。また、前記補強部材を所定の位置に設けることで、応力が集中する箇所を重点的に補強することができる。
【００２２】
前記第３の発明によると、前記中空角パイプが同種の金属を材料としていることより、互いに溶接により固着することが容易である。また、同種の金属の場合は、金属間の電位差が少なく、錆の進行を抑えることができる。
【００２３】
前記第４の発明によると、前記補強部材が間隙を有していることにより、前記中空角パイプを防錆のためのメッキや塗装を施す際に前記パネルユニットの内部にメッキの原料や塗料を流入させたり、排出させたりすることが容易にできる。これは、防水パネル柵は沿岸地帯に設置されることが多く、耐食性が要求されるところ、前記中空角パイプや前記補強部材を鋼製にした場合には、メッキや塗装を施す必要があるからである。
【００２４】
前記第５の発明によると、前記補強部材の角部が１つ以上切り欠かれていることにより、前記中空角パイプの中空部の角部と前記補強部材の角部とは、接合のためにそれぞれの形状を合わせることを必要としないため、前記補強部材の取り付けも容易になる。
【００２５】
前記第６の発明によると、前記補強部材が前記中空角パイプの少なくとも前記中空角パイプが連結される方向と直交する短手方向に内接されていることより、内面と固着されている。例えば、前記補強部材が前記中空角パイプの内側面と固着している場合には、側面から水圧や波圧がかかったときに、前記補強部材が前記中空角パイプの上面及び下面と固着している場合には、前記中空角パイプの断面形状が平行四辺形に変形することを防ぐことができる。
【００２６】
前記第７の発明によると、前記パネルユニット間に第一止水材が介装されていることにより、前記パネルユニットが連結された防水パネルを一体にし、仮に一方の側面からの水が浸入しようとしても、向かい合う他方の側面への水の浸入を防ぐことができる。
【００２７】
前記第８の発明によると、前記パネルユニット間をボルトで締結することにより、前記パネルユニット間に介装された第一止水材がより強固に前記パネルユニット間に密着するため止水効果が向上する。
【００２８】
前記第９の発明によると、第１〜第８の発明の前記防水パネルの両端に前記支柱が取り付けられていることより、前記防水パネルの全体を一枚のパネルとして、前記支柱に組み立てることができる。また、前記パネルユニットを２つ以上組み合わせて小さいパネルを形成して、数回に分けて前記支柱に組み立てることもできる。いずれにしても、各前記パネルユニットが上下に連結されているので、前記パネルユニットを一つずつ前記支柱に固定する場合に比べて１回又は数回の作業で前記支柱に設置することができ、施工性が向上する。
【００２９】
前記第１０の発明によると、前記支柱の溝部と前記防水パネルとの間に第二止水材が介装されていることにより、前記支柱と前記防水パネルとの隙間からの水の浸入を防ぐことができる。
【００３０】
前記第１１の発明によると、前記第二止水材が前記中空角パイプの外側面との当接位置に対応して、前記補強部材が設けられていることにより、前記パネルユニットの側面に受けた力は、前記補強部材を介して前記第二止水材そして前記支柱に伝達される。
【図面の簡単な説明】
【００３１】
【図１】本発明を適用した防水パネル柵の斜視図である。
【図２】（ａ）は、本発明を適用した防水パネル柵の平面図であり、（ｂ）は、防水パネル柵の正面図である。
【図３】防水パネル柵の図１及び図５におけるａ−ａ'線断面図である。
【図４】本発明を適用した防水パネルと支柱の固定部分の斜視図である。
【図５】本発明を適用した防水パネルと支柱の固定部分の平面図である。
【図６】本発明を適用した防水パネルの斜視図である。
【図７】本発明を適用した防水パネルの側面図である。
【図８】本発明に係るパネルユニット単体の斜視図である。
【図９】（ａ）は、パネルユニット単体の平面図、（ｂ）は、その正面図であり、（ｃ）は、補  強部材が略四角形状の場合の図８におけるｂ−ｂ'線断面図である。
【図１０】（ａ）〜（ｄ）は、補強部材が図９（ｃ）で示す形状以外の他の形状の場合の図８に  おけるｂ−ｂ'線断面図である。
【発明を実施するための形態】
【００３２】
以下、本発明を実施するための形態として、防水パネル及び防水パネル柵について、図面を参照しながら詳細に説明する。
【００３３】
図１は、本発明を適用した防水パネル柵１の斜視図であり、図２（ａ）は、その平面図であり、図２（ｂ）は、その正面図であり、図３は、その図１及び図５に示すａ−ａ'線断面図である。図４は、防水パネルと支柱の固定部分の斜視図であり、図５は、その平面図である。
【００３４】
防水パネル柵１は、基礎３１に対して所定間隔で立設された支柱２と、この支柱２間に嵌合された防水パネル９と、防水パネル９の外側面上であって支柱２との間に設けられた側面止水ゴム２９と、支柱２の上端に取り付けられたパネル固定金具６とを備えている。
【００３５】
基礎３１は、例えばコンクリート製で構成されている。基礎３１は、図１に示すように海（又は河川）等の沿岸部に設けられている。基礎３１は、立設すべき支柱２を嵌め込むための図示しない嵌合孔が設けられていてもよく、当該図示しない嵌合孔の近傍は周囲よりも高く盛り上げられていてもよい。また、基礎３１は、沿岸部に設置された堤防であってもよい。仮にこの堤防自体が新設の場合は、支柱２自体を堤防に直接埋め込むという形式であってもよいが、既設の場合は、支柱２にベースプレートを取り付けてアンカーボルトにより堤防に固定するという形式でもよい。なお、基礎３１を設けて防水パネル柵を設置する場所は、沿岸部だけに限らず津波や洪水の越流を考慮して複数の防水パネル柵を内陸部に向かって段階的に設置する場合も含まれる。
【００３６】
支柱２は、支柱ウェブ部３の両端に一対の支柱フランジ部４、５が連設されたＨ形鋼からなる。即ち、この支柱２は、支柱ウェブ部３、支柱フランジ部４、５により囲まれてなる溝部が形成されている。この支柱フランジ部５は、陸側に向けて配置され、支柱フランジ部４は、海側（又は河川側）に向けて配置される。また、この支柱２における支柱ウェブ部３の上端には、図５に示すようにパネル固定金具６を取り付けるための挿通孔１３が設けられている。支柱２は、製造コストの観点からＨ形鋼を用いるのが望ましい。しかし、支柱２は、これに限定されるものではなく、溝部が形成されその溝部により防水パネル９の端部近傍を囲む形状で、かつ十分な剛性を確保できるものであれば、如何なる断面形状の鋼材で構成されていてもよい。
【００３７】
図６は、防水パネル９の斜視図であり、図７は、その側面図である。図６及び図７に示すように、防水パネル９は、上下に複数連続して連結されたパネルユニット１０と、互いに隣り合うパネルユニット１０の間に介装された止水シート２６と、互いに隣り合うパネルユニット１０の間であってパネルユニット１０の端部に取り付けられた連結部止水ゴム２７とを備えている。
【００３８】
パネルユニット１０は、中空角パイプ１１と中空角パイプ１１の内部に設けられた中空部２５の両端部近傍に設けられた補強部材１２とを備えている。
【００３９】
図８は、パネルユニット１０の斜視図であり、図９（ａ）は、その平面図であり、図９（ｂ）は、その正面図である。
【００４０】
中空角パイプ１１は、上面２１と、上面２１の両端に直交する側面２３、２４と、上面２１に平行するとともに側面２３、２４に直交する下面２２とで形成される。中空角パイプ１１は、平面視は略矩形であり、断面視は略矩形であるが、四隅の角部は曲率を帯びている。中空角パイプ１１は、金属製の鋼材である。また、中空角パイプ１１は、中空状であることから、これを中実状に構成する場合と比較して材料コストの低減を図りつつ、金属製で水圧や波圧等による外力に対する高い耐久性を維持することが可能となる。なお、中空角パイプ１１は、中空形状でかつ十分な剛性を確保できるものであれば、その鋼材の形状、大きさ、種類は如何なるものであってもよい。
【００４１】
中空部２５は、図７に示すように、側面視では、中空角パイプ１１の形状と同じ略矩形であり、四隅の角は曲率を帯びているのが望ましい。しかし、これに限定されるものではなく、中空角パイプ１１の十分な剛性が確保できるものであれば、如何なる断面形状であってもよい。
【００４２】
図９（ｃ）は、図８におけるｂ−ｂ'線断面図である。ただし、図９（ｃ）は、補強部材１２が略四角形で角部を切り欠いた形状である略四角形状の補強部材４１の場合を示している。図１０（ａ）は、補強部材１２が略八角形状である補強部材４２の場合の図８におけるｂ−ｂ'線断面図である。図１０（ｂ）は、補強部材１２が中空角パイプ１１の上面２１及び下面２２と離間している略矩形の補強部材４３の場合のｂ−ｂ'線断面図である。図１０（ｃ）は、補強部材１２が略角パイプ（又は丸パイプ）である補強部材４４の場合のｂ−ｂ'線断面図である。図１０（ｄ）は、補強部材１２が上下の棒鋼である補強部材４５及び左右の棒鋼である補強部材４６がそれぞれ２本ずつ配設された場合のｂ−ｂ'線断面図である。
【００４３】
補強部材１２は、例えば、図９（ｃ）及び図１０（ａ）〜（ｄ）に示されるが、これらの形状に限定されるものではない。補強部材１２は、いかなる形状であっても中空角パイプ１１の少なくとも１つの面に内接している。特に補強部材１２は、少なくとも中空角パイプ１１の側面２３，２４とは、溶接等で固着していることが望ましい。これにより剛性を強固にすることができ、図１の水圧、波圧Ａの方向から側面２３に水圧や波圧がかかり、支柱２と防水パネル９の固定された部分に対する応力が集中しても防水パネル９が破損することを防ぐことができる。また、補強部材１２は、中空角パイプ１１の上面２１及び下面２２と当接しており、更に固着されていることが望ましい。補強部材１２とこの上面２１及び下面２２が当接されていることにより、中空角パイプ１１の断面形状が平行四辺形に変形することを防ぐことができる。
【００４４】
また、補強部材１２は、中空角パイプ１１の中空部２５を連通する間隙１９を有している。図９（ｃ）及び図１０（ａ）〜（ｄ）に示すように、間隙１９があることにより、中空部２５が中空角パイプ１１の両端まで連通し、パネルユニット１０の防錆のためのメッキや塗装を施す際に内部へのメッキの原料や塗料の流入及び排出を容易に行うことができるからである。このメッキの原料は、例えば、亜鉛である。しかし、これに限定されることなく、銅などの他のメッキであってもよい。パネルユニット１０の防錆の観点からは、メッキに限定されるものではなく塗装であってもよい。また、この間隙１９を含めて、図９（ｃ）及び図１０（ａ）〜（ｄ）に示す何れの形状においても、補強部材１２の角部近傍が切り欠かれる等して、中空角パイプ１１の角部内側と離間されていることが望ましい。これにより、中空角パイプ１１の内周と内接させるために全くの同形状の外周を持つ補強部材１２を製作しなくてもよく、中空角パイプ１１と補強部材１２の形状を合わせる必要がなくなる。従って、中空角パイプ１１の内面に補強部材１２を取り付けるのが容易となる。
【００４５】
図１０（ｂ）に示す略矩形の補強部材４３の上下の幅は、一定の長さが必要となる。これは、図４及び図５に示す水圧、波圧Ａの方向から力を受けた場合には、上下の幅が短いと力を側面２３から側面２４に適切に伝達できない恐れがあるからである。同様の理由から、図１０（ｄ）に示す左右に設けられた２本の棒鋼の補強部材４６においても、上下の幅は、一定の長さが必要となる。なお、補強部材１２は、鋼材で構成される材料に限定されることなく、コンクリートで構成されたり、鋼材とコンクリートの合成材料であってもよい。
【００４６】
また、図６及び図７に示すように、互いに隣り合うパネルユニット１０の連結は、上側にあるパネルユニット１０の下面２２及び下側にあるパネルユニット１０の上面２１の端部近傍に挿通孔１４が形成され、この下側にあるパネルユニット１０の上面２１から連結ボルト１５を挿通させて、上側にあるパネルユニット１０の下面２２の連結ナット１６により螺着固定するようにしてもよい。或いは、これに限定されるものではなく、十分なパネルユニット１０の剛性や止水性を確保できるのであれば、例えば、互いに隣り合うパネルユニット１０の側面２３、２４それぞれを溶接等により固着させてもよい。
【００４７】
止水シート２６は、上下に互いに隣り合うパネルユニット１０において、上側にあるパネルユニット１０の下面２２と下側にあるパネルユニット１０の上面２１の間に介装されている。また、止水シート２６は、図６に示すとおり、形状は平面視で略矩形であり、止水シート２６の短手方向の幅は、上面２１及び下面２２と同じ幅であっても、それより小さくてもよく、パネルユニット１０の長手方向全体に一方の端部から他方の端部まで介装されている。また、止水シート２６の素材は、例えばゴム等の弾性体で構成されている。この止水シート２６があることにより、防水パネル９において、図１の水圧、波圧Ａ方向からの津波や洪水等に対して、陸側への水の浸入を防ぐことができる。なお、この形状、大きさ、材質は、これに限定されるものではなく、十分な止水性を確保できるものであれば如何なる形状、大きさ、材質のシートで構成されていてもよい。なお、止水シート２６は、パネルユニット１０の長手方向の両端部まで介装されているため、前述の連結ボルト１５の連結時に、止水シート２６を連結ボルト１５が貫通して、互いに隣り合う上下のパネルユニット１０を締結することになる。これにより、止水シート２６を弾性変形させた状態で互いに隣り合うパネルユニット１０を連結することができ、高い止水効果が生まれる。
【００４８】
連結部止水ゴム２７は、図６及び図７に示すように、パネルユニット１０の端部に取り付けられ、互いに隣り合うパネルユニット１０において、上側のパネルユニット１０の下面２２と下側のパネルユニット１０の上面２１の隙間を埋める形で取り付けられている。この隙間は、パネルユニット１０において断面視で略矩形の角部が曲率を帯びていることにより生まれる。なお、特にパネルユニット１０の端部の隙間Ｄにおいては、シリコーン系または変性シリコーン系あるいはポリウレタン系などのコーキング材２８を連結部止水ゴム２７の代わりに用いてもよい。
【００４９】
側面止水ゴム２９は、パネルユニット１０において、この支柱２における支柱フランジ部４、５間にほぼ隙間無く嵌合又は固着させるようにしてもよい。或いは、側面止水ゴム２９は、図４及び図５に示すようにパネルユニット１０と支柱フランジ部４、５との間の隙間Ｂのような間隙を設けるようにして配置するようにしてもよい。この側面止水ゴム２９は、パネルユニット１０の端部近傍及び支柱フランジ部４、５を支える支点にもなるため、比較的硬いゴムで構成されている。この側面止水ゴム２９は、図５に示す防水パネル９と支柱２との間に生まれる隙間Ｂからの水の浸入を防ぐことができる。更に、止水効果を高めるために、前述の連結部止水ゴム２７を取り付けることにより、隙間Ｂに加えて図４に示す隙間Ｃに対しての水の浸入を防ぐことができる。即ち、互いに隣り合うパネルユニット１０の端部近傍において、側面止水ゴム２９と連結部止水ゴム２７により、上側のパネルユニット１０の下面２２と下側のパネルユニット１０の上面２１の隙間全体を埋めることができる。なお、側面止水ゴム２９は、パネルユニット１０の側面２３、２４と内接している補強部材１２の位置に対応させて、側面２３、２４の外側の同じ位置に設けてもよい。
【００５０】
パネル固定金具６は、図４及び図５に示すように支柱２間に嵌め込まれたパネルユニット１０を上から押さえ込んで固定するために設けられる。このパネル固定金具６は、支柱２における支柱ウェブ部３に当接される当接板６１と、この当接板６１に対して互いに直交する押さえ板６２並びに補剛板６３とを備えている。当接板６１には、図示しない挿通孔が形成され、これにボルト７が挿通させてなる。このボルト７の先端は、更に支柱ウェブ部３に設けられた挿通孔１３を挿通させて、支柱ウェブ部３の反対側からナット８により螺着固定されている。押さえ板６２は、固定時において水平面を構成するように、また補剛板６３は固定時において鉛直面を構成するように角度調整がなされる。そして、この押さえ板６２の底面をパネルユニット１０の上面２１を押さえ付けるようにして固定する。これにより、想定外の洪水や津波高さにより水が越流した場合に浮力によりパネルユニット１０が、上に上がろうとするのをこの押さえ板６２を介して抑えることが可能となる。なお、このパネル固定金具６の形状は、上述の構成に限定されるものではなく、少なくとも支柱２における支柱ウェブ部３に当接可能な当接板６１と、パネルユニット１０を上から押さえつけることが可能な押さえ板６２を有するものであればいかなる形状とされていてもよい。
【００５１】
次に、本発明を適用した防水パネル及び防水パネル柵における、洪水や津波等の水圧や波圧がかかったときの応力等の受け方及び防水パネルの支柱への取り付け方について、図面を参照しながら詳細に説明する。
【００５２】
図４及び図５に示すとおり、補強部材１２は、防水パネル９と支柱２との隙間Ｂにある側面止水ゴム２９が中空角パイプ１１の外側面と当接している位置に対応して設けられている。これにより、パネルユニット１０の側面に受けた力は、補強部材１２を介して側面止水ゴム２９そして支柱２に伝達される。
【００５３】
防水パネル９と支柱２の組み立て方は、例えば、防水パネル９の一番上のパネルユニット１０の上面２１の両端部近傍に設けられた図１及び図２に示すアイボルト用挿通孔１７に図示しないアイボルトを挿通して、上面２１の下側からアイボルト用ナット１８により螺着固定され、アイボルトにワイヤーをかけてクレーン等で吊るして組み立てることができる。その際には、防水パネル９の全体を一枚のパネルとして、支柱２に組み立ててもよい。或いは、パネルユニット１０を２つ以上組み合わせて小さいパネルを形成して、その最上部のパネルユニット１０に設けられたアイボルト用挿通孔１７にアイボルトを挿入してクレーン等で吊るして、数回に分けて支柱２に組み立ててもよい。いずれにしても、各パネルユニット１０が上下に連結されているので、パネルユニット１０を一つずつ支柱に固定する場合に比べて１回又は数回の作業で支柱に設置できるため、施工性に優れている。また、各パネルユニット１０同士が連結されているので、良好な止水効果が期待できる。
【符号の説明】
【００５４】
１          防水パネル柵
２          支柱
３          支柱ウェブ部
４、５      支柱フランジ部
６          パネル固定金具
７          ボルト
８          ナット
９          防水パネル
１０        パネルユニット
１１        中空角パイプ
１２        補強部材
１３、１４  挿通孔
１５        連結ボルト
１６        連結ナット
１７        アイボルト用挿通孔
１８        アイボルト用ナット
１９        間隙
２１        上面
２２        下面
２３、２４  側面
２５        中空部
２６        止水シート
２７        連結部止水ゴム
２８        コーキング材
２９        側面止水ゴム
３１        基礎
４１        略四角形状の補強部材
４２        略八角形状の補強部材
４３        略矩形の補強部材
４４        略角リングの補強部材
４５        鉛直方向の略棒体の補強部材
４６        水平方向の略棒体の補強部材
６１        当接板
６２        押さえ板
６３        補剛板
Ａ          水圧、波圧
Ｂ、Ｃ、Ｄ  隙間
【図１】
2014009528.tif 000003
【図２】
2014009528.tif 000004
【図３】
2014009528.tif 000005
【図４】
2014009528.tif 000006
【図５】
2014009528.tif 000007
【図６】
2014009528.tif 000008
【図７】
2014009528.tif 000009
【図８】
2014009528.tif 000010
【図９】
2014009528.tif 000011
【図１０】
2014009528.tif 000012